(57)【要約】      （修正有）【課題】木製軸組に加工を施すことなく、面内せん断耐力を向上させることができる結果、デッキプレートの持つ面内せん断力の負担能力を十分に発揮させることができるデッキプレート用固定金具を提供する。【解決手段】木造建築物の軸組にデッキプレートを留付け具を介して固定するためのデッキプレート用固定金具Ａにおいて、留付け具の挿入孔４が複数個形成された板状の留付け部１と、留付け部１間に、留付け部１と一体に形成された面内せん断力吸収部２とからなる。【選択図】図１
2019044371.tif 000002
【特許請求の範囲】
【請求項１】
木造建築物の軸組にデッキプレートを留付け具を介して固定するためのデッキプレート用固定金具において、
前記留付け具の挿入孔が複数個形成された板状の留付け部と、前記留付け部間に、前記留付け部と一体に形成された面内せん断力吸収部とからなることを特徴とするデッキプレート用固定金具。
【請求項２】
前記面内せん断力吸収部は、前記留付け部に対して上方に突出して形成されていることを特徴とする、請求項１に記載のデッキプレート用固定金具。
【請求項３】
前記面内せん断力吸収部は、コ字状に形成されていることを特徴とする、請求項２に記載のデッキプレート用固定金具。
【請求項４】
前記面内せん断力吸収部には、貫通孔が形成されていることを特徴とする、請求項２または３に記載のデッキプレート用固定金具。
【発明の詳細な説明】
【技術分野】
【０００１】
この発明は、デッキプレート用固定金具、特に、木造建築物の軸組にデッキプレートを固定する際に使用するデッキプレート用固定金具に関するものである。
【背景技術】
【０００２】
木造建築物は、いわゆる「公共建築物木材利用促進法」や木造建築物の中大規模化等に伴って、施工性向上や長スパン化等による施工の合理化が進められており、木質材料の弱点を補うために、性能や機能面において優れる木質材料以外の高強度・高耐力材、例えば、鋼材やコンクリートの採用が増加している。
【０００３】
高強度・高耐力材としてのデッキプレートは、建築物に作用する面外力に抵抗する構造材として、Ｓ造（鉄骨構造）を中心に、床や屋根の材料として広く用いられている。この他、デッキプレートは、面内せん断特性における高い剛性および強度を活かし、地震時に作用する面内せん断力に抵抗する構造材としても用いられている。
【０００４】
デッキプレートを木造建築物に用いた場合、デッキプレートは、面外剛性が高いので、木造建築物の在来の床・屋根工法や合板を用いた床・屋根工法に比べて、床・屋根の軸組としての横架材の間隔を大きくすることができるといった利点があり、中大規模木造建築物に適している。
【先行技術文献】
【特許文献】
【０００５】
【特許文献１】特開２０１６−１６９５６５号公報
【発明の概要】
【発明が解決しようとする課題】
【０００６】
木造建築物において、デッキプレートを床・屋根に用いる場合、デッキプレートは、軸組にビスやボルト等の留付け具により固定される。
【０００７】
しかしながら、木製の軸組材に対して、鋼製のデッキプレートや留付け具の剛性は大きく、しかも、ビスやボルト等の留付け具による固定位置は、デッキプレートの谷部に限定されるので、軸組の長手方向全体に力が分散しない。この結果、図１１、図１２に示すように、デッキプレート１１の谷部の留付け具１２に力が集中するので、地震時等において荷重Ｐを受けると、軸組１３（横架材）に割裂破壊やせん断破壊が生じる。
【０００８】
このような軸組の破壊により、デッキプレートの持つ面内せん断力の負担能力が十分に発揮されないばかりか、軸組が荷重支持能力を喪失する等の問題が生じる。
【０００９】
デッキプレートを木造建築物に用いた場合のデッキプレートと軸組との取付構造の一例が特許文献１に開示されている。以下、このデッキプレートと軸組との取付構造を従来取付構造という。
【００１０】
従来取付構造は、図１３に示すように、デッキプレート１１の断面形状に合わせて木製軸組１３の上面を凹凸状に形成することによって、デッキプレート１１と軸組１３とを一体化し、かくして、面内せん断耐力を向上させて、デッキプレート１１の持つ面内せん断力の負担能力を十分に発揮することができるようにしたものである。
【００１１】
上記従来取付構造によれば、上記問題は、解決することはできるが、軸組１３の上面をデッキプレート１１の断面形状に合わせて凹凸状に形成する必要があるので、その加工に手間と時間を要する。
【００１２】
従って、この発明の目的は、木製軸組に加工を施すことなく、面内せん断耐力を向上させることができる結果、デッキプレートの持つ面内せん断力の負担能力を十分に発揮させることがきるデッキプレート用固定金具を提供することにある。
【課題を解決するための手段】
【００１３】
この発明は、上記目的を達成するためになされたものであって、下記を特徴とする。
【００１４】
請求項１に記載の発明は、木造建築物の軸組にデッキプレートを留付け具を介して固定するためのデッキプレート用固定金具において、前記留付け具の挿入孔が複数個形成された板状の留付け部と、前記留付け部間に、前記留付け部と一体に形成された面内せん断力吸収部とからなることに特徴を有するものである。
【００１５】
請求項２に記載の発明は、請求項１に記載の発明において、前記面内せん断力吸収部は、前記留付け部に対して上方に突出して形成されていることに特徴を有するものである。
【００１６】
請求項３に記載の発明は、請求項２に記載の発明において、前記面内せん断力吸収部は、コ字状に形成されていることに特徴を有するものである。
【００１７】
請求項４に記載の発明は、請求項２または３に記載の発明において、前記面内せん断力吸収部には、貫通孔が形成されていることに特徴を有するものである。
【発明の効果】
【００１８】
この発明によれば、留付け部間に面内せん断力吸収部を設けることにより、留付け部の有する剛性との相乗効果によって、木造建築物の軸組にデッキプレートを留付け具を介して固定する際に、軸組に加工を施すことなく、面内せん断耐力を向上させることができる。
【００１９】
また、この発明によれば、面内せん断力吸収部に貫通孔を形成することによって、デッキプレートにコンクリートを打設した合成床構造を構築する場合において、面内せん断力吸収部内にコンクリートが入り込む結果、コンクリートがデッキプレート用固定金具を介して軸組と強固に結合されるので、軸組の割裂破壊やせん断破壊をさらに抑制することができる。
【図面の簡単な説明】
【００２０】
【図１】この発明のデッキプレート用固定金具を示す正面図である。
【図２】この発明のデッキプレート用固定金具を示す平面図である。
【図３】この発明のデッキプレート用固定金具を示す側面図である。
【図４】この発明のデッキプレート用固定金具により軸組にデッキプレートを固定した状態を示す断面図である。
【図５】この発明のデッキプレート用固定金具により軸組にデッキプレートの端部を固定した状態を示す平面図である。
【図６】デッキプレート用固定金具と軸組との間に隙間材を入れた状態を示す側面図である。
【図７】この発明のデッキプレート用固定金具により軸組にデッキプレートを突き合わせて固定した状態を示す平面図である。
【図８】この発明の別のデッキプレート用固定金具を示す平面図である。
【図９】この発明のさらに別のデッキプレート用固定金具を示す平面図である。
【図１０】この発明のさらに別のデッキプレート用固定金具を示す平面図である。
【図１１】デッキプレートの谷部の留付け具によって、軸組に割裂破壊やせん断破壊が生じるメカニズムを示す平面図である。
【図１２】荷重Ｐを受ける前の図１１のＡ−Ａ断面図である。
【図１３】従来取付構造を示す斜視図である。
【発明を実施するための形態】
【００２１】
この発明のデッキプレート用固定金具の一実施態様を、図面を参照しながら説明する。
【００２２】
図１は、この発明のデッキプレート用固定金具を示す正面図、図２は、この発明のデッキプレート用固定金具を示す平面図、図３は、この発明のデッキプレート用固定金具を示す側面図である。
【００２３】
図１から図３に示すように、デッキプレート用固定金具Ａは、板状の留付け部１と、留付け部１間に、留付け部１と一体に形成された面内せん断力吸収部２とから構成され、例えば、鋼板からなっている。
【００２４】
面内せん断力吸収部２は、この例では、留付け部１に対して上方にコ字状に突出させ、面内せん断力をコ字状の突出部の弾性変形によって吸収させるものである。なお、面内せん断力吸収部２は、面内せん断力を吸収できる形状であれば、この形状に限定されず、逆Ｖ字状等に形成してもよい。
【００２５】
留付け部１には、ビスやボルト等の留付け具３の挿入孔４が複数個形成されている。この例では、挿入孔４は、千鳥状に配されているが、図９に示すように、一列に配してもよいし、図１０に示すように、ピッチをずらして複数列に配してもよい。
【００２６】
この発明のデッキプレート用固定金具Ａにより軸組５の端部にデッキプレート６を固定するには、図４および図５の中央に示すように、デッキプレート６の谷部にデッキプレート用固定金具Ａを乗せ、留付け部１の挿入孔４に留付け具３を挿入して固定する。
【００２７】
デッキプレート６の嵌合部７を固定するには、図４および図５の左側に示すように、嵌合部７に面内せん断力吸収部２を被せて固定する。
【００２８】
このようにして、この発明のデッキプレート用固定金具Ａにより軸組５にデッキプレート６を固定すると、デッキプレート用固定金具Ａの留付け部１の有する剛性と、面内せん断力吸収部２との相乗効果によって、面内せん断力を受けた際、隣接するデッキプレート６が互いにずれることを抑えることができる結果、軸組５の割裂破壊やせん断破壊を抑制することができる。
【００２９】
これによって、面内せん断耐力が向上して、大きな地震力等に抵抗することができるので、木造建築物の安全性が向上する。
【００３０】
なお、デッキプレート用固定金具Ａの剛性と、面内せん断力吸収部２の効果をさらに高める場合には、図４および図５の右側に示すように、デッキプレート用固定金具Ａの長さを長くする。この場合には、図６に示すように、デッキプレート用固定金具Ａと軸組５との間に隙間材８を入れて段差をなくす。
【００３１】
この発明のデッキプレート用固定金具Ａにより軸組５にデッキプレート６を突き合わせて固定するには、図７に示すように、デッキプレート６の突合部にデッキプレート用固定金具Ａを跨がせて固定する。
【００３２】
この発明のデッキプレート用固定金具Ａは、乾式床や屋根構造に適用する以外に、デッキプレートにコンクリートを打設した合成床構造にも適用することができる。この場合には、図８に示すように、面内せん断力吸収部２に貫通孔９を形成する。これによって、面内せん断力吸収部２内にコンクリートが入り込む結果、コンクリートがデッキプレート用固定金具を介して軸組と強固に結合されるので、軸組の割裂破壊やせん断破壊をさらに抑制することができる。
【００３３】
以上、説明したように、この発明によれば、留付け部間に面内せん断力吸収部を設けることにより、留付け部の有する剛性との相乗効果によって、木造建築物の軸組にデッキプレートを留付け具を介して固定する際に、軸組に加工を施すことなく、面内せん断耐力を向上させることができる。
【００３４】
また、この発明によれば、面内せん断力吸収部に貫通孔を形成することによって、デッキプレートにコンクリートを打設した合成床構造を構築する場合において、面内せん断力吸収部内にコンクリートが入り込む結果、コンクリートがデッキプレート用固定金具を介して軸組と強固に結合されるので、軸組の割裂破壊やせん断破壊をさらに抑制することができる。
【符号の説明】
【００３５】
Ａ：デッキプレート用固定金具
１：留付け部
２：面内せん断力吸収部
３：留付け具
４：挿入孔
５：軸組
６：デッキプレート
７：嵌合部
８：隙間材
９：貫通孔
１１：デッキプレート
１２：留付け具
１３：軸組
【図１】
2019044371.tif 000003
【図２】
2019044371.tif 000004
【図３】
2019044371.tif 000005
【図４】
2019044371.tif 000006
【図５】
2019044371.tif 000007
【図６】
2019044371.tif 000008
【図７】
2019044371.tif 000009
【図８】
2019044371.tif 000010
【図９】
2019044371.tif 000011
【図１０】
2019044371.tif 000012
【図１１】
2019044371.tif 000013
【図１２】
2019044371.tif 000014
【図１３】
2019044371.tif 000015